【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
検索結果を提供する方法であって、
キーワードと関連したコレクションに対する等級をクリック情報を用いて設定するステップと、
前記等級によって整列されたコレクションリストを生成して前記キーワードと関連して維持するステップと、
前記キーワードに対する検索結果を前記コレクションリストの前記コレクションに対する順序で構成して提供するステップと、
含むことを特徴とする検索結果提供方法。
【請求項２】
前記クリック情報は、前記コレクション別のクリックの有無および前記コレクション間のクリック順を含むことを特徴とする請求項１に記載の検索結果提供方法。
【請求項３】
キーワードと関連したコレクションに対する等級をクリック情報を用いて設定する前記ステップは、
ユーザ端末機から入力された前記キーワードに対する検索結果として前記コレクションに対する検索結果ページを提供するステップと、
前記検索結果ページが含むコレクションに対する前記クリックの有無および前記クリック順を用いて前記コレクションに対する等級を設定するステップと、
を含むことを特徴とする請求項２に記載の検索結果提供方法。
【請求項４】
前記検索結果ページが含むコレクションに対する前記クリックの有無および前記クリック順を用いて前記コレクションに対する等級を設定する前記ステップは、
前記コレクションに対するクリックの有無を確認し、クリックが発生するコレクションであるクリックコレクションに対する等級を設定するステップと、
最後のクリックが発生したコレクション以降のコレクションである保留コレクションに対する等級を設定するステップと、
前記クリックコレクションおよび前記保留コレクションを除いた残りのコレクションであるスキップコレクションに対する等級を設定するステップと、
を含むことを特徴とする請求項３に記載の検索結果提供方法。
【請求項５】
前記検索結果ページは、前記キーワードと関連して発生した前記コレクション別のクリック回数によって前記コレクションが整列された第１コレクションリストに基づいて構成され、
前記コレクションに対するクリックの有無を確認し、クリックが発生するコレクションであるクリックコレクションに対する等級を設定する前記ステップは、
前記第１コレクションリストの順序で前記クリックが発生したコレクションを確認して前記等級を設定するが、連続で前記クリックが発生したコレクション間には等しい等級を設定することを特徴とする請求項４に記載の検索結果提供方法。
【請求項６】
最後のクリックが発生したコレクション以降のコレクションである保留コレクションに対する等級を設定する前記ステップは、
前記最後のクリックが発生したコレクションを介して前記保留コレクションおよび前記保留コレクションの数を確認するステップと、
前記クリックコレクションの数および前記保留コレクションの数を用いて前記保留コレクションの等級を算出するステップと、
を含むことを特徴とする請求項４に記載の検索結果提供方法。
【請求項７】
前記クリックコレクションの数および前記保留コレクションの数を用いて前記保留コレクションの等級を算出する前記ステップは、
前記保留コレクションの数が公差が１の等差数列であるときに前記等差数列の平均を意味する下記の数式（１）を用いて前記保留コレクションの等級を算出することを特徴とする請求項６に記載の検索結果提供方法。
［数１］
保留コレクションの等級＝（２ｋ＋ｎ−１）／２・・・（１）
ここで、前記ｋは前記クリックコレクションの数＋１の値を、前記ｎは前記保留コレクションの数をそれぞれ意味することができる。
【請求項８】
前記クリックコレクションおよび前記保留コレクションを除いた残りのコレクションであるスキップコレクションに対する等級を設定する前記ステップは、
全体コレクションの数から前記クリックコレクションの数および前記保留コレクションの数を除いた残りである前記スキップコレクションの数を確認するステップと、
前記クリックコレクションの数、前記保留コレクションの数、および前記スキップコレクションの数を用いて前記スキップコレクションの等級を算出するステップと、
を含むことを特徴とする請求項４に記載の検索結果提供方法。
【請求項９】
前記クリックコレクションの数、前記保留コレクションの数、および前記スキップコレクションの数を用いて前記スキップコレクションの等級を算出する前記ステップは、
前記スキップコレクションの数が公差が１の等差数列であるときに前記等差数列の平均を意味する下記の数式（２）を用いて前記スキップコレクションの等級を算出することを特徴とする請求項８に記載の検索結果提供方法。
［数２］
スキップコレクションの等級＝（２ｋ＋ｎ−１）／２・・・（２）
ここで、前記ｋは前記クリックコレクションの数＋前記保留コレクションの数＋１の値を、前記ｎは前記スキップコレクションの数をそれぞれ意味することができる。
【請求項１０】
前記等級によって整列されたコレクションリストを生成して前記キーワードと関連して維持する前記ステップは、
前記コレクション別のクリック回数によって整列されている第１コレクションリストの前記コレクションを前記等級によって整列して前記コレクションリストを生成し、前記キーワードと関連してデータベースに格納することを特徴とする請求項１に記載の検索結果提供方法。
【請求項１１】
前記キーワードに対する検索結果を前記コレクションリストの前記コレクションに対する順序で構成して提供する前記ステップは、
ユーザ端末機から前記キーワードを受信した場合、データベースから前記キーワードと関連したコレクションリストを検索するステップと、
検索された前記コレクションリストが含むコレクションの順序で検索結果ページを構成するステップと、
前記検索結果ページを前記検索結果として前記ユーザ端末機に提供するステップと、
を含むことを特徴とする請求項１に記載の検索結果提供方法。
【請求項１２】
請求項１〜１１のうちのいずれか一項の方法を実行させるためのプログラムを記録したコンピュータ読み取り可能な記録媒体。
【請求項１３】
検索結果を提供するシステムであって、
キーワードと関連したコレクションに対する等級をクリック情報を用いて設定する等級設定部と、
前記等級によって整列されたコレクションリストを生成して前記キーワードと関連して維持するコレクションリスト維持部と、
前記キーワードに対する検索結果を前記コレクションリストの前記コレクションに対する順序で構成して提供する検索結果提供部と、
を備えることを特徴とする検索結果提供システム。
【請求項１４】
前記クリック情報は、前記コレクション別のクリックの有無および前記コレクション間のクリック順を含むことを特徴とする請求項１３に記載の検索結果提供システム。
【請求項１５】
前記等級設定部は、
ユーザ端末機から入力された前記キーワードに対する検索結果として前記コレクションに対する検索結果ページを提供する検索結果ページ提供部と、
前記コレクションに対するクリックの有無を確認し、クリックが発生するコレクションであるクリックコレクションに対する等級を設定するクリックコレクション等級設定部と、
最後のクリックが発生したコレクション以後のコレクションである保留コレクションに対する等級を設定する保留コレクション等級設定部と、
前記クリックコレクションおよび前記保留コレクションを除いた残りのコレクションであるスキップコレクションに対する等級を設定するスキップコレクション等級設定部と、
を備えることを特徴とする請求項１４に記載の検索結果提供システム。
【請求項１６】
前記検索結果ページは、前記キーワードと関連して発生した前記コレクション別クリック回数によって前記コレクションが整列された第１コレクションリストに基づいて構成され、
前記クリックコレクション等級設定部は、
前記第１コレクションリストの順序に前記クリックが発生したコレクションを確認して前記等級を設定するが、連続で前記クリックが発生したコレクション間には等しい等級を設定することを特徴とする請求項１５に記載の検索結果提供システム。
【請求項１７】
前記保留コレクション等級設定部は、
前記最後のクリックが発生したコレクションを介して前記保留コレクションおよび前記保留コレクションの数を確認する保留コレクション数確認部と、
前記クリックコレクションの数および前記保留コレクションの数を用いて前記保留コレクションの等級を算定する保留コレクション等級算出部と、
を備えることを特徴とする請求項１５に記載の検索結果提供システム。
【請求項１８】
前記保留コレクション等級算出部は、
前記保留コレクションの数が公差が１の等差数列であるときに前記等差数列の平均を意味する下記の数式（１）を用いて前記保留コレクションの等級を算出することを特徴とする請求項１７に記載の検索結果提供システム。
［数３］
保留コレクションの等級＝（２ｋ＋ｎ−１）／２・・・（１）
ここで、前記ｋは前記クリックコレクションの数＋１の値を、前記ｎは前記保留コレクションの数をそれぞれ意味することができる。
【請求項１９】
前記スキップコレクション等級設定部は、
全体コレクションの数から前記クリックコレクションの数および前記保留コレクションの数を除いた残りである前記スキップコレクションの数を確認するスキップコレクション数確認部と、
前記クリックコレクションの数、前記保留コレクションの数、および前記スキップコレクションの数を用いて前記スキップコレクションの等級を算出するスキップコレクション等級算出部と、
を備えることを特徴とする請求項１５に記載の検索結果提供システム。
【請求項２０】
前記スキップコレクション等級算出部は、
前記スキップコレクションの数が公差が１の等差数列であるときに前記等差数列の平均を意味する下記の数式（２）を用いて前記スキップコレクションの等級を算出することを特徴とする請求項１９に記載の検索結果提供システム。
［数４］
スキップコレクションの等級＝（２ｋ＋ｎ−１）／２・・・（２）
ここで、前記ｋは前記クリックコレクションの数＋前記保留コレクションの数＋１の値を、前記ｎは前記スキップコレクションの数をそれぞれ意味することができる。
【請求項２１】
前記コレクションリスト維持部は、
前記コレクション別クリック回数によって整列されている第１コレクションリストの前記コレクションを前記等級によって整列して前記コレクションリストを生成し、前記キーワードと関連してデータベースに格納することを特徴とする請求項１３に記載の検索結果提供システム。
【請求項２２】
前記検索結果提供部は、
ユーザ端末機から前記キーワードを受信した場合、データベースから前記キーワードと関連したコレクションリストを検索し、検索された前記コレクションリストが含むコレクションの順序で検索結果ページを構成し、前記検索結果ページを前記検索結果として前記ユーザ端末機に提供することを特徴とする請求項１３に記載の検索結果提供システム。